(57)【特許請求の範囲】
【請求項１】
第一方向に延伸する一対の上板長辺部と、前記第一方向と直交する第二方向に延伸する一対の上板短辺部とを有し、且つ前記第二方向に所定の距離で離隔して配置された中実状の複数の上板部と、
前記複数の上板部のうちの隣接する２つの上板部を接合する接合部であって、前記複数の上板部に対して前記第一方向及び前記第二方向に直交する第三方向に変位した位置に配置された底板部を有する複数の接合部と、を有し、
前記複数の接合部は、表面板材と、裏面板材と、前記表面板材の裏面と前記裏面板材の表面とを接合する複数の隔壁板部とによって形成される複数の中空部によって中空状に形成され、
前記底板部は、
前記一対の上板長辺部の長さと同一の長さを有し且つ前記第一方向に延伸する一対の底板長辺部と、前記所定の距離以下の長さを有し且つ前記第二方向に延伸する一対の底板短辺部とを有し、前記複数の上板部のうちの隣接する２つの上板部間の位置に配置され、
前記接合部は、
前記一対の底板長辺部の一方と、前記一対の底板長辺部の一方に隣接し且つ対向して配置された前記一対の上板長辺部の一方とを接合する第一傾斜板部と、
前記一対の底板長辺部の他方と、前記一対の底板長辺部の他方に隣接し且つ対向して配置された前記一対の上板長辺部の他方とを接合する第二傾斜板部とをさらに有し、
前記第二方向の一端に配置された上板部の前記第二方向の幅は、前記第二方向の他端に配置された上板部の前記第二方向の幅よりも短く、
前記一端に配置された上板部は、前記第一傾斜板部と接合するとともに、前記他端に配置された上板部は、前記第二傾斜板部と接合し、
前記一端に配置された上板部と接合する第一傾斜板部及び他端に配置された上板部と接合する第二傾斜板部は、前記上板部に接合する中実状の上側傾斜板部と、前記底板部に接合し且つ前記上側傾斜板部に接合する中空状の底側傾斜板部とを有し、
前記上側傾斜板部の厚さは、前記底側傾斜板部の厚さよりも薄く、
前記一端に配置された上板部と接合する第一傾斜板部の上側傾斜板部及び前記底側傾斜板部のそれぞれの裏面は、同一面上にあり、
前記他端に配置された上板部と接合する第二傾斜板部の上側傾斜板部及び前記底側傾斜板部のそれぞれの表面は、同一面上にある、
ことを特徴とする建築用板材。
【請求項２】
前記複数の上板部は、被取り付け部に固定される際に、固定具を挿入するための固定具挿入孔が設けられる、請求項１に記載の建築用板材。
【請求項３】
前記上板部の厚さは、前記底板部並びに前記第一傾斜板部の底側傾斜板部及び前記第二傾斜板部の底側傾斜板部の厚さよりも薄い、請求項１又は２に記載の建築用板材。
【請求項４】
前記底側傾斜板部は、前記上側傾斜板部に接合する接合端部を有し、
前記接合端部が、前記上側傾斜板部との接合方向に向けて先細るテーパ形状に形成されている、請求項１〜３の何れか１項に記載の建築用板材。
【請求項５】
前記上板部に接合する前記第一傾斜板部及び前記第二傾斜板部は、当該上板部に接合する位置に中実状の接合上端部を有する、請求項１〜４の何れか一項に記載の建築用板材。
【請求項６】
前記複数の隔壁板部のそれぞれは、前記第一方向に延伸する一対の長辺部を有する縦長形状であり、前記表面板材及び前記裏面板材に平行であり且つ前記第一方向に直交する方向に、所定距離で隔離して複数配置され、
前記第一及び第二傾斜板部の隔壁板部間の距離が、前記底板部の隔壁板部間の距離よりも短い、請求項１〜５の何れか一項に記載の建築用板材。
【請求項７】
請求項１〜６の何れか一項に記載の建築用板材の取り付け構造であって、
前記複数の中実状の上板部に固定具挿入孔が穿孔され、前記固定具挿入孔に挿通された固定具によって建築用板材が被取り付け部に取り付けられる、
ことを特徴とする建築用板材の取り付け構造。
【発明の詳細な説明】
【技術分野】
【０００１】
本発明は、建築用板材、及び建築用板材の取り付け構造に関する。
【背景技術】
【０００２】
従来から、建築用板材には、折板材及び波板材がある。折板材には、金属製の板材、又は、ポリカーボネート樹脂若しくはアクリル樹脂等の透明樹脂製の板材がある。例えば、折板材は、折板屋根として用いられる。特に、透明樹脂製の折板屋根として、中空透明樹脂板を張設した採光屋根が知られている。
【０００３】
また、波板材として、断熱性を高めるために、２枚の合成樹脂製の波板の間に空気層を設けて、これら２枚の波板を重合させた板材を用いることが知られている（例えば、引用文献１，２を参照。）。
【先行技術文献】
【特許文献】
【０００４】
【特許文献１】実公昭６１−４２５号公報
【特許文献２】実公昭６２−４３７９３号公報
【発明の概要】
【発明が解決しようとする課題】
【０００５】
しかしながら、従来の中空状の折板材又は波板材の母屋材等への取り付け工程において、折板材又は波板材の本体に、挿通孔が設けられるか又は固定具がねじ込まれると、折板材又は波板材の本体が破損することがあり、施工性が低下する要因となっていた。
【０００６】
本発明は、このような課題を解決すべくなされたものであり、取り付け工程において、破損を防止して施工性を向上させることを可能とする建築用板材、及び建築用板材の取り付け構造を提供することを目的とする。
【課題を解決するための手段】
【０００７】
本発明に係る建築用板材は、第一方向に延伸する一対の上板長辺部と、第一方向と直交する第二方向に延伸する一対の上板短辺部とを有し、且つ第二方向に所定の距離で離隔して配置された中実状の複数の上板部と、複数の上板部のうちの隣接する２つの上板部を接合する接合部であって、複数の上板部に対して第一方向及び第二方向に直交する第三方向に変位した位置に配置された底板部を有する複数の接合部と、を有し、複数の接合部は、表面板材と、裏面板材と、表面板材の裏面と裏面板材の表面とを接合する複数の隔壁板部とによって形成される複数の中空部によって中空状に形成される。
【０００８】
また、本発明に係る建築用板材において、複数の上板部は、被取り付け部に固定される際に、固定具を挿入するための固定具挿入孔が設けられることが好ましい。
【０００９】
また、本発明に係る建築用板材において、底板部は、一対の上板長辺部の長さと同一の長さを有し且つ第一方向に延伸する一対の底板長辺部と、所定の距離以下の長さを有し且つ第二方向に延伸する一対の底板短辺部とを有し、複数の上板部のうちの隣接する２つの上板部間の位置に配置され、接合部は、一対の底板長辺部の一方と、一対の底板長辺部の一方に隣接し且つ対向して配置された一対の上板長辺部の一方とを接合する第一傾斜板部と、一対の底板長辺部の他方と、一対の底板長辺部の他方に隣接し且つ対向して配置された一対の上板長辺部の他方とを接合する第二傾斜板部とをさらに有し、第二方向の一端に配置された上板部の第二方向の幅は、第二方向の他端に配置された上板部の第二方向の幅よりも短いことが好ましい。
【００１０】
また、本発明に係る建築用板材において、上板部の厚さは、底板部並びに第一傾斜板部及び第二傾斜板部の厚さよりも薄いことが好ましい。
【００１１】
また、本発明に係る建築用板材において、一端に配置された上板部は、第一傾斜板部と接合するとともに、他端に配置された上板部は、第二傾斜板部と接合し、一端に配置された上板部と接合する第一傾斜板部及び他端に配置された上板部と接合する第二傾斜板部は、上板部に接合する中実状の上側傾斜板部と、底板部に接合し且つ上側傾斜板部に接合する中空状の底側傾斜板部とを有し、上側傾斜板部の厚さは、底側傾斜板部の厚さよりも薄く、一端に配置された上板部と接合する第一傾斜板部の上側傾斜板部及び底側傾斜板部のそれぞれの裏面は、同一面上にあり、他端に配置された上板部と接合する第二傾斜板部の上側傾斜板部及び底側傾斜板部のそれぞれの表面は、同一面上にあることが好ましい。
【００１２】
また、本発明に係る建築用板材において、底側傾斜板部は、上側傾斜板部に接合する接合端部を有し、接合端部が、上側傾斜板部との接合方向に向けて先細るテーパ形状に形成されていることが好ましい。
【００１３】
また、本発明に係る建築用板材において、上板部に接合する第一傾斜板部及び第二傾斜板部は、当該上板部に接合する位置に中実状の接合上端部を有することが好ましい。
【００１４】
また、本発明に係る建築用板材において、複数の隔壁板部のそれぞれは、第一方向に延伸する一対の長辺部を有する縦長形状であり、表面板材及び裏面板材に平行であり且つ第一方向に直交する方向に、所定距離で隔離して複数配置され、第一及び第二傾斜板部の隔壁板部間の距離が、底板部の隔壁板部間の距離よりも短いことが好ましい。
【００１５】
また、本発明に係る建築用板材において、上板部は、第一方向及び第二方向に直交する第三方向と反対の方向に向かって湾曲する上板曲板面を有し、接合部は、第三方向に湾曲する下板曲板面を有することが好ましい。
【００１６】
本発明に係る建築用板材の取り付け構造は、複数の中実状の上板部に固定具挿入孔が穿孔され、固定具挿入孔に挿通された固定具によって建築用板材が被取り付け部に取り付けられる。
【発明の効果】
【００１７】
本発明に係る建築用板材、及び建築用板材の取り付け構造は、取り付け工程において、破損を防止して施工性を向上させることが可能となる。
【図面の簡単な説明】
【００１８】
【図１】本発明の実施形態に係る建築用折板材を有する採光屋根の外観の一例を示す図である。
【図２】建築用折板材の第二方向断面図である。
【図３】上板部、底板部及び傾斜板部の第二方向断面拡大図である。
【図４】（ａ）は、始端上板部及び始端上板部に接合する第一傾斜板部の第二方向拡大図であり、（ｂ）は、終端上板部及び終端上板部に接合する第二傾斜板部の第二方向拡大図である。
【図５】（ａ）は、底側始端傾斜板部及び上側始端傾斜板部が接合する接合端部の第二方向断面図であり、（ｂ）は、底側終端傾斜板部及び上側終端傾斜板部が接合する接合端部の第二方向断面図である。
【図６】上板部の第二方向断面図である。
【図７】（ａ）は、底板部の一部分の拡大斜視図であり、（ｂ）は、第一傾斜板部の一部分の拡大斜視図である。
【図８】建築用折板材を折板屋根として施工する方法を示す図である。
【図９】第二方向に重ね合わせして施工した建築用折板材の第二方向断面図を示す図である。
【図１０】本発明の他の実施形態に係る建築用波板材の斜視図を示す図である。
【発明を実施するための形態】
【００１９】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００２０】
図１は、本発明の実施形態に係る建築用折板材１０を有する採光屋根１の外観の一例を示す図である。
【００２１】
本発明の建築用折板材１０は、建築用板材の一例であり、例えば、折板屋根又は壁材等として用いられる。建築用折板材１０は、複数の上板部２０、複数の底板部３０、及び複数の上板部２０と複数の底板部３０とを接合する複数の傾斜板部４０を有する。上板部２０、底板部３０及び傾斜板部４０は、それぞれ縦長板状に形成されたポリカーボネート樹脂製の板材である。底板部３０及び傾斜板部４０は、表面と裏面に板材を有し、表面の板材と裏面の板材との間に複数の中空部３０７，４０６を有する中空状の板材であり、上板部２０は、中空部を有さない中実状の板材である。なお、上板部２０、底板部３０及び傾斜板部４０として、アクリル樹脂等の透明樹脂又は塩化ビニル樹脂等の不透明樹脂が用いられてもよく、また、金属製の板材が用いられてもよい。
【００２２】
上板部２０は、縦長板状に形成され、当該縦長板状の長辺方向である第一方向に延伸する一対の第一上板長辺部２０１及び第二上板長辺部２０２を有する。第一上板長辺部２０１及び第二上板長辺部２０２は、同一の長さに形成されている。また、上板部２０は、第一方向と直交する短辺方向である第二方向に延伸し且つ第一上板長辺部２０１及び第二上板長辺部２０２より短い一対の上板短辺部２０３を有する。上板部２０は、第二方向に複数並べて配置されている。以後、第二方向の一端に配置された上板部２０を、始端上板部２１と称し、また、第二方向の他端に配置された上板部２０を、終端上板部２２と称する。
【００２３】
始端上板部２１は、縦長板状に形成され、第一上板長辺部２０１及び第二上板長辺部２０２と同一の長さを有し且つ第一方向に延伸する一対の第一始端上板長辺部２１１及び第二始端上板長辺部２１２を有する。また、始端上板部２１は、第二方向に延伸し且つ第一始端上板長辺部２１１及び第二始端上板長辺部２１２より短い一対の始端上板短辺部２１３を有する。
【００２４】
終端上板部２２は、縦長形状に形成され、第一上板長辺部２０１及び第二上板長辺部２０２と同一の長さを有し且つ第一方向に延伸する一対の第一終端上板長辺部２２１及び第二終端上板長辺部２２２を有する。また、終端上板部２２は、第二方向に延伸し且つ第一終端上板長辺部２２１及び第二終端上板長辺部２２２より短い一対の終端上板短辺部２２３を有する。
【００２５】
底板部３０は、縦長板状に形成され、第一上板長辺部２０１及び第二上板長辺部２０２と同一の長さを有し且つ第一方向に延伸する一対の第一底板長辺部３０１及び第二底板長辺部３０２を有しする。また、底板部３０は、第二方向に延伸し且つ第一底板長辺部３０１及び第二底板長辺部３０２より短い一対の底板短辺部３０３を有する。
【００２６】
建築用折板材１０が第二方向に複数設置される場合、複数の建築用折板材１０のそれぞれは、一方の建築用折板材１０の始端上板部２１の表面と他方の建築用折板材１０の終端上板部２２の裏面とが重なるように配置される。また、建築用折板材１０を折板屋根として用いる場合、複数の上板部２０、始端上板部２１及び終端上板部２２に穿孔した固定具挿入孔２３等の固定部に固定ボルトを挿通することによって、建築用折板材１０は、母屋材５０に固定した後述するタイトフレーム６０に固定される。
【００２７】
複数の傾斜板部４０は、それぞれ縦長板状に形成される。複数の傾斜板部４０は、各底板部３０の始端上板部２１の方向に最も近く位置する上板部２０の第一上板長辺部２０１と、各底板部３０のそれぞれの第二底板長辺部３０２とを接合する複数の第一傾斜板部４０１を含む。このように、第一傾斜板部４０１は、一対の第一底板長辺部３０１及び第二底板長辺部３０２の内の一方の第二底板長辺部３０２と、この第二底板長辺部３０２に隣接し且つ対向して配置された一対の第一上板長辺部２０１及び第二上板長辺部２０２のうちの一方の第一上板長辺部２０１とを接合する。
【００２８】
また、複数の傾斜板部４０は、各底板部３０の終端上板部２２の方向に最も近く位置する上板部２０の第二上板長辺部２０２と、各底板部３０のそれぞれの第一底板長辺部３０１とを接合する複数の第二傾斜板部４０２を含む。このように、第二傾斜板部４０２は、一対の第一底板長辺部３０１及び第二底板長辺部３０２の内の他方の第一底板長辺部３０１と、この第一底板長辺部３０１に隣接し且つ対向して配置された一対の第一上板長辺部２０１及び第二上板長辺部２０２のうちの他方の第二上板長辺部２０２とを接合する。
【００２９】
このように、本発明の建築用折板材１０は、第一方向に延伸する一対の第一上板長辺部２０１及び第二上板長辺部２０２と、第一方向と直交する第二方向に延伸する一対の上板短辺部２０３とを有し且つ第二方向に所定の距離で離隔して配置された中実状の複数の上板部２０と、複数の上板部２０のうちの隣接する２つの上板部２０において、対向する第一上板長辺部２０１及び第二上板長辺部２０２を接合し且つ中空部３０７，４０６を有する複数の底板部３０及び傾斜板部４０等の接合部とを有する。これにより、本発明の建築用折板材１０は、取り付け工程において、破損を防止して施工性を向上させることが可能となる。
【００３０】
図２は、図１に示す建築用折板材１０の第二方向断面図である。建築用折板材１０が有する複数の上板部２０、始端上板部２１及び終端上板部２２は、第二方向に距離Ｗ１離隔して並べて配置されている。そして、複数の底板部３０のそれぞれは、複数の上板部２０のうち隣接する２つの上板部２０の間の位置であって、複数の上板部２０に対して第一方向（長辺方向）及び第二方向（短辺方向）に直交し且つ上板部２０の下方の第三方向に変位した位置のそれぞれに配置される。また、始端上板部２１及び上板部２０の間の位置であって、上板部２０に対して第三方向に変位した位置に、底板部３０が配置される。また、終端上板部２２及び上板部２０の間の位置であって、上板部２０に対して第三方向に変位した位置に、底板部３０が配置される。
【００３１】
距離Ｗ１は、底板部３０の第二方向の幅Ｗ２よりも長い。また、複数の底板部３０のうち隣接する底板部３０の間の第二方向の距離Ｗ３は、上板部２０の第二方向の幅Ｗ４よりも長い。
【００３２】
図３は、図１に示す上板部２０、底板部３０及び第二傾斜板部４０２の第二方向断面拡大図である。上板部２０の厚さＷ５は、底板部３０の厚さＷ６並びに第一傾斜板部４０１及び第二傾斜板部４０２の厚さＷ７よりも薄い。上板部２０の厚さＷ５が、取り付け工程において破損しない程度に薄く形成されることにより、建築用折板材１０の軽量化が実現され、且つ、上板部２０の固定具挿入孔２３の穿孔作業の負担も軽減される。また、建築用折板材１０を、ポリカーボネート樹脂等の合成樹脂を第一方向に押出して成形する押出成形によって製造する場合、中実状の上板部２０の厚さＷ５を、中空状の底板部３０の厚さＷ６並びに第一傾斜板部４０１及び第二傾斜板部４０２の厚さＷ７よりも薄く成形することで、中実状の部材の押出成形後の冷却時間を、中空状の部材の押出成形後の冷却時間に近づけるか又は略同一にすることができる。
【００３３】
図４（ａ）は、図１に示す始端上板部２１及び始端上板部２１に接合する第一傾斜板部４０１の第二方向拡大図であり、図４（ｂ）は、図１に示す終端上板部２２及び終端上板部２２に接合する第二傾斜板部４０２の第二方向拡大図である。
【００３４】
始端上板部２１に接合する第一傾斜板部４０１は、始端上板部２１に接合する中実状の上側始端傾斜板部４０１１と、底板部３０と接合されるとともに上側始端傾斜板部４０１１と接合され且つ複数の中空部４０６を有する中空状の底側始端傾斜板部４０１２とを有する。始端上板部２１、上側始端傾斜板部４０１１及び外側始端傾斜板部４０１３の厚さＷ８は、底側始端傾斜板部４０１２の厚さＷ９の半分の厚さである。
【００３５】
終端上板部２２に接合する第二傾斜板部４０２は、終端上板部２２に接合する中実状の上側終端傾斜板部４０２１と、底板部３０と接合されるとともに上側終端傾斜板部４０２１と接合され且つ複数の中空部４０６を有する中空状の底側終端傾斜板部４０２２とを有する。終端上板部２２、上側終端傾斜板部４０２１及び外側終端傾斜板部４０２３の厚さＷ１１は、底側終端傾斜板部４０２２の厚さＷ１２の半分の厚さである。
【００３６】
図１で説明したように、第二方向に建築用折板材１０を複数設置する場合、複数の建築用折板材１０のそれぞれは、一方の建築用折板材１０の始端上板部２１の表面と他方の建築用折板材１０の終端上板部２２の裏面とが重なるように配置される。
【００３７】
始端上板部２１と終端上板部２２とを重ね合わせた際に、終端上板部２２が浮き上がることを防止するため、始端上板部２１の第二方向の表面の幅Ｗ１０は、終端上板部２２の第二方向の裏面の幅Ｗ１３よりも短い。
【００３８】
また、始端上板部２１と終端上板部２２とを重ね合わせた際に、上側終端傾斜板部４０２１及び外側始端傾斜板部４０１３を合わせた厚さが、底側終端傾斜板部４０２２の厚さＷ１２と同じ厚さになり、上側始端傾斜板部４０１１及び外側終端傾斜板部４０２３を合わせた厚さが、底側始端傾斜板部４０１２の厚さＷ９と同じ厚さになる。これにより、始端上板部２１及び終端上板部２２を重ね合わせた場合に、両者のおさまりが良くなるとともに、外観も向上する。
【００３９】
図５（ａ）は、底側始端傾斜板部４０１２及び上側始端傾斜板部４０１１が接合する接合端部４０１４の第二方向断面図であり、図５（ｂ）は、底側終端傾斜板部４０２２及び上側終端傾斜板部４０２１が接合する接合端部４０２４の第二方向断面図である。
【００４０】
底側始端傾斜板部４０１２は、上側始端傾斜板部４０１１に接合する位置に接合端部４０１４を有し、接合端部４０１４の底側始端傾斜板部４０１２と接合する部分の厚さは、底側始端傾斜板部４０１２の厚さＷ９と同じ厚さである。また、底側終端傾斜板部４０２２は、上側終端傾斜板部４０２１に接合する位置に接合端部４０２４を有し、接合端部４０２４の底側終端傾斜板部４０２２と接合する部分の厚さは、底側終端傾斜板部４０２２の厚さＷ１２と同じ厚さである。
【００４１】
接合端部４０１４及び４０２４は、それぞれ上側始端傾斜板部４０１１及び上側終端傾斜板部４０２１との接合方向に向けて先細るテーパ形状に形成されている。接合端部４０１４及び４０２４の上側始端傾斜板部４０１１及び上側終端傾斜板部４０２１と接合する部分の厚さは、上側始端傾斜板部４０１１の厚さＷ８及び上側終端傾斜板部４０２１の厚さＷ１１と同じ厚さである。
【００４２】
接合端部４０１４及び４０２４はテーパ形状に形成されることにより、成形後の変形を防止することが可能になる。また、ポリカーボネート樹脂製の建築用折板材１０を押出成形によって製造する場合、接合端部４０１４及び４０２４をテーパ形状にすることにより、第一方向（長辺方向）に押出して成形する際に、接合端部４０１４及び４０２４部分の樹脂が金型に引っ掛かることがなくなるため、成形性が向上する。
【００４３】
上側始端傾斜板部４０１１の表面と接合端部４０１４の表面との角度Ｄ１及び上側終端傾斜板部４０２１の裏面と接合端部４０２４の裏面との角度Ｄ２は、好ましくは１２０度以上１８０度未満であり、特に好ましくは、１６０度以上１８０度未満であり、最も好ましくは１６８度である。角度Ｄ１及びＤ２が上述の範囲よりも小さい場合には、接合端部近辺に集中応力がかかりやすくなる。一方、角度Ｄ１及びＤ２が上述の範囲よりも大きい場合には、接合端部４０１４及び４０２４の薄い中空部４０６を形成する表面板材と裏面板材とが押出成形時に結合し潰れてしまい成形性が悪化する。角度Ｄ１及びＤ２を上述の範囲に設定することで、集中応力がかかる箇所をなくすことで破損を防止でき、また、接合端部４０１４及び４０２４の成形性の悪化を防止できる。
【００４４】
上側始端傾斜板部４０１１及び底側始端傾斜板部４０１２のそれぞれの裏面が、同一面上となるように形成し、また、上側終端傾斜板部４０２１及び底側終端傾斜板部４０２２のそれぞれの表面が、同一面上となるように形成する。これにより、始端上板部２１及び終端上板部２２を重ね合わせた場合に、両者のおさまりが良くなるとともに、外観も向上する。
【００４５】
図６は、図１に示す上板部２０の第二方向断面図である。上板部２０は、第一傾斜板部４０１及び第二傾斜板部４０２と接合する。第一傾斜板部４０１及び第二傾斜板部４０２は、上板部２０に接合する部分に中実状の第一接合上端部４０１５及び第二接合上端部４０２５を有する。
【００４６】
このように、上板部２０に接合する部分を中実状とすることで、中空状の第一傾斜板部４０１及び第二傾斜板部４０２が成形時に変形したとしても上板部２０への影響が少なくなり、施工時における破損を防止することができる。特に、第一接合上端部４０１５及び第二接合上端部４０２５に接続する第一傾斜板部４０１及び第二傾斜板部４０２の中空部が変形しても、上板部２０に与える影響を少なくすることができる。
【００４７】
図７（ａ）は、図３に示す底板部３０の一部分７０１の拡大斜視図であり、図７（ｂ）は、図３に示す第一傾斜板部４０１の一部分７０２の拡大斜視図である。
【００４８】
底板部３０は、表面板材３０４及び表面板材３０４と平行な裏面板材３０５を有する。表面板材３０４の裏面と裏面板材３０５の表面とを接合し且つ底板部３０の第一底板長辺部３０１及び第二底板長辺部３０２と同じ長さの一対の底板隔壁長辺部３０６１を有する縦長形状の底板隔壁板部３０６が、表面板材３０４及び裏面板材３０５に平行であり且つ第一方向に直交する方向に距離Ｗ１４離隔して複数配置されることにより、第二方向断面矩形の中空部３０７が設けられる。
【００４９】
第一傾斜板部４０１は、表面板材４０３及び表面板材４０３と平行な裏面板材４０４を有する。表面板材４０３の裏面と裏面板材４０４の表面とを接合し且つ第一傾斜板部４０１が接合する第一底板長辺部３０１及び第二底板長辺部３０２と同じ長さの一対の傾斜板隔壁長辺部４０５１を有する縦長形状の傾斜板隔壁板部４０５が、表面板材４０３及び裏面板材４０４に平行であり且つ第一方向に直交する方向に距離Ｗ１５離隔して複数配置されることにより、第二方向断面矩形の中空部４０６が設けられる。なお、第二傾斜板部４０２も、第一傾斜板部４０１と同じように複数の中空部が設けられる。
【００５０】
表面板材３０４及び裏面板材３０５に平行であり且つ第一方向に直交する方向における底板部３０の長さが、表面板材４０３及び裏面板材４０４に平行であり且つ第一方向に直交する方向における第一傾斜板部４０１の長さよりも短く形成した場合、距離Ｗ１４は、距離Ｗ１５よりも長く設定する。このように、表面板材３０４及び裏面板材３０５に平行であり且つ第一方向に直交する方向における底板部３０の長さに応じて、距離Ｗ１４及び距離Ｗ１５を変更することで、強度（曲げ弾性率）を保ちつつ使用する樹脂量を減らし、軽量化、低コスト化を図ることができる。また、表面板材３０４及び裏面板材３０５に平行であり且つ第一方向に直交する方向における底板部３０の長さが、表面板材４０３及び裏面板材４０４に平行であり且つ第一方向に直交する方向における第一傾斜板部４０１の長さよりも長い場合、距離Ｗ１４は、距離Ｗ１５よりも短くすることが好ましい。なお、表面板材３０４及び裏面板材３０５に平行であり且つ第一方向に直交する方向における底板部３０の長さと表面板材４０３及び裏面板材４０４に平行であり且つ第一方向に直交する方向における第一傾斜板部４０１の長さとの関係に関わらず、距離Ｗ１４と距離Ｗ１５とを同じ長さとしてもよい。
【００５１】
図８は、建築用折板材１０を折板屋根として施工する方法を示す図である。
【００５２】
まず、建築用折板材１０が母屋材５０に固定されたタイトフレーム６０の上に仮置される。次いで、タイトフレーム６０に設けられた固定ボルト６０１に対応する上板部２０の位置に、電動ドリル等を用いて固定具挿入孔２３が穿孔される。そして、固定ボルト６０１が、固定具挿入孔２３に挿入され、上板部２０の表面からワッシャを介してナット６０２によりボルト締めされることで、建築用折板材１０は母屋材５０に設置される。このように、固定ボルト６０１及びナット６０２等の固定具を用いて、建築用折板材１０はタイトフレーム６０等の被取り付け部に設置される。
【００５３】
図９は、第二方向に重ね合わせして施工した建築用折板材１０の第二方向断面図を示す図である。タイトフレーム６０の上に、固定具挿入孔２３が穿孔された一方の建築用折板材１０の始端上板部２１を置く。その上に、固定具挿入孔２３が穿孔された他方の建築用折板材１０の終端上板部２２を置き、固定ボルト６０１及びナット６０２等の固定具を用いて、一方の建築用折板材１０及び他方の建築用折板材１０をタイトフレーム６０に固定する。
【００５４】
図１０は、本発明の他の実施形態に係る建築用波板材１１の斜視図を示す図である。建築用波板材１１は、建築用板材の一例であり、例えば、屋根材又は壁材等として用いられる。建築用波板材１１は、２枚のポリカーボネート樹脂製の波板の間に複数の中空部２５１を設け、これら２枚の波板を重合させた板材で形成されたものである。
【００５５】
建築用波板材１１を屋根材として用いる場合、建築用折板材１０の上板部２０に対応する建築用波板材１１の上曲板部２４を中実状に形成する。上曲板部２４は、建築用波板材１１の複数の山が延在する方向である第一の方向及び建築用波板材１１の複数の山が連設する方向である第二方向に直交し且つ上曲板部２４の上方の第四方向に向かってその中央部の第二方向の断面が凸状に湾曲する上板曲板面を有する。また、上曲板部２４は、第一方向に延伸する一対の上曲板長辺部２４１と、第四方向に向かって凸状に湾曲し且つ第二方向に延伸する一対の上曲板短辺部２４２とを有する。上曲板部２４は、第二方向に所定の距離で離隔して複数配置される。複数の上曲板部２４のうちの隣接する２つの上曲板部２４と接合し且つ建築用波板材１１の中空部２５１を有する部分である接合曲板部２５は、第四方向と反対の方向である第三方向に向かってその中央部の第二方向の断面が凸状に湾曲する下板曲板面を有する。
【００５６】
本発明の他の実施形態に係る建築用波板材１１は、上述のように構成することにより、建築用波板材１１を母屋材に取り付ける際に、中実状の上曲板部２４に固定具挿入孔を穿孔して固定具を取り付けるため、建築用波板材１１の本体が破損することを防止し、施工性を向上させることができる。
【００５７】
以上説明してきたように、本発明の建築用折板材１０及び建築用波板材１１は、第一方向に延伸する一対の上板長辺部と、第一方向と直交する第二方向に延伸する一対の上板短辺部とを有し且つ第二方向に所定の距離で離隔して配置された中実状の複数の上板部と、複数の上板部のうちの隣接する２つの上板部において、対向する上板長辺部を接合することにより接合し且つ中空部を有する複数の接合部とを有する。これにより、本発明の建築用折板材１０及び建築用波板材１１は、取り付け工程において、破損を防止して施工性を向上させることが可能となる。
【００５８】
なお、底板部３０の第二方向の幅Ｗ２が距離Ｗ１と同じ長さに設定され、上板部２０の第二方向の幅Ｗ４が距離Ｗ３と同じ長さに設定されてもよい。
【００５９】
また、本実施形態の建築用折板材１０において、中空部３０７及び４０６は、第二方向に表面板材に沿って複数層設けてもよい。また、中空部３０７及び４０６を形成する、底板隔壁板部３０６及び傾斜板隔壁板部４０５は、縦長形状の他に、任意の形状に形成してもよい。また、建築用波板材１１において、複数層の中空部２５１を設けてもよく、中空部２５１を構成する隔壁板部を任意形状としてもよい。
【００６０】
また、本実施形態の建築用折板材１０においては、底板部３０及び傾斜板部４０は中空状の板材であるが、上板部２０と同じように中空部を有さない中実状の板材としてもよく、底板部３０及び傾斜板部４０の一部を中実状としてもよい。
【００６１】
また、本実施形態の建築用折板材１０及び建築用波板材１１は、ポリカーボネート樹脂等の合成樹脂を第一方向に押出して成形する押出成形によって製造するほかに、中実部と中空部とが交互に一体成型されたポリカーボネート樹脂等の合成樹脂の平板を、折曲加工を施して製造してもよい。なお、建築用折板材１０及び建築用波板材１１は、成形時に固定具挿入孔を穿孔せずに、施工時に固定具挿入孔を穿孔するものであるが、成形時に固定具挿入孔を穿孔するようにしてもよい。
【００６２】
当業者は、本発明の精神及び範囲から外れることなく、様々な変更、置換、及び修正をこれに加えることが可能であることを理解されたい。
【符号の説明】
【００６３】
１    採光屋根
１０    建築用折板材
１１    建築用波板材
２０    上板部
２０１    第一上板長辺部
２０２    第二上板長辺部
２０３    上板短辺部
２１    始端上板部
２１１    第一始端上板長辺部
２１２    第二始端上板長辺部
２１３    始端上板短辺部
２２    終端上板部
２２１    第一終端上板長辺部
２２２    第二終端上板長辺部
２２３    終端上板短辺部
２３    固定具挿入孔
２４    上曲板部
２４１    上曲板長辺部
２４２    上曲板短辺部
２５    接合曲板部
２５１    中空部
３０    底板部
３０１    第一底板長辺部
３０２    第二底板長辺部
３０３    底板短辺部
３０４    表面板材
３０５    裏面板材
３０６    隔壁板材
３０６１    底板隔壁長辺部
３０７    中空部
４０    傾斜板部
４０１    第一傾斜板部
４０１１    上側始端傾斜板部
４０１２    底側始端傾斜板部
４０１３    外側始端傾斜板部
４０１４    接合端部
４０１５    第一接合上端部
４０２    第二傾斜板部
４０２１    上側終端傾斜板部
４０２２    底側終端傾斜板部
４０２３    外側終端傾斜板部
４０２４    接合端部
４０２５    第二接合上端部
４０３    表面板材
４０４    裏面板材
４０５    隔壁板材
４０５１    傾斜板隔壁長辺部
４０６    中空部
５０    母屋材
６０    タイトフレーム
６０１    固定ボルト（固定具）
６０２    ナット（固定具）
【図１】
0006433233.tif 000002
【図２】
0006433233.tif 000003
【図３】
0006433233.tif 000004
【図４】
0006433233.tif 000005
【図５】
0006433233.tif 000006
【図６】
0006433233.tif 000007
【図７】
0006433233.tif 000008
【図８】
0006433233.tif 000009
【図９】
0006433233.tif 000010
【図１０】
0006433233.tif 000011